(57)【要約】      （修正有）【課題】ゴミを確実に捕捉し、排気が確実に行なえるストレーナ付き吸排気弁を提供する。さらに急速多量吸気をも行なえるストレーナ付き吸排気弁を提供する。【解決手段】吸排気弁は排気弁と吸気弁とを備えた弁本体の上流側にストレーナを備えている。ストレーナはフィルター３２を備えたストレーナ体３１を備えている。フィルターの底部３２ａは開いており、頂部３２ｂは閉じている。フィルターは円錐体となっており、頂部側が狭い空気溜まりとなり、ある量空気が溜まると、それに作用する浮力の作用により、空気はフィルターを通過できる。負圧発生時にはストレーナ体が下に落下し、急速多量吸気を可能とする。【選択図】図３
2006316809.tif 000002
【特許請求の範囲】
【請求項１】
水道の配管或いは給湯管などに取付けられる吸排気弁において、前記吸排気弁は、吸気弁と排気弁とを備えた吸排気弁本体と、該吸排気弁本体の上流側に配置されたストレーナとを備えて構成され、前記ストレーナは、ケーシングと、該ケーシング内の流路に配置されるストレーナ体とを備え、前記ストレーナ体は、錐体の形状をして少なくともその錐面の部分が網状に形成されたフィルターを備え、前記フィルターはその錐体の頂部側は閉じられ、底部側は開口していることを特徴とする、ストレーナ付き吸排気弁。
【請求項２】
請求項１記載のストレーナ付き吸排気弁において、前記フィルターの前記頂部は網目状に形成され、前記ストレーナ体は、前記フィルターの前記錐体の頂部が下流側に位置するように配置されていることを特徴とする、ストレーナ付き吸排気弁。
【請求項３】
請求項２記載のストレーナ付き吸排気弁において、前記ストレーナ体は、前記流路の途中に前記流路の周方向に沿って設けられた座に当接する位置と、該座から離れて前記座を開く位置との間で移動可能であることを特徴とする、ストレーナ付き吸排気弁。
【請求項４】
請求項２又は３記載のストレーナ付き吸排気弁において、前記ストレーナ体は前記フィルターが取付けられる支持体を備え、前記支持体は、前記フィルターの底部の下側に位置する短い筒部を備え、該筒部には窓孔が明けられていることを特徴とする、ストレーナ付き吸排気弁。
【請求項５】
請求項４記載のストレーナ付き吸排気弁において、前記支持体は比重が水より小さい樹脂で作られていることを特徴とする、ストレーナ付き吸排気弁。
【請求項６】
請求項１記載のストレーナ付き吸排気弁において、前記フィルタの前記頂部は密閉され、前記ストレーナ体は、前記フィルターの前記錐体の頂部が上流側に位置するように配置されていることを特徴とする、ストレーナ付き吸排気弁。
【請求項７】
請求項６記載のストレーナ付き吸排気弁において、前記フィルターの前記頂部は開閉可能に密閉されていることを特徴とする、ストレーナ付き吸排気弁。
【請求項８】
請求項７記載のストレーナ付き吸排気弁において、前記頂部には、上流側から下流側への流れは阻止し、反対向きの流れは許容する逆止弁が設けられていることを特徴とする、ストレーナ付き吸排気弁。
【発明の詳細な説明】
【技術分野】
【０００１】
本発明は、水道の給水管或いは給湯管などに取付けられる吸排気弁に関する。さらに詳細に言えば、給水管内に含まれたゴミなどの異物を捕捉する為に使用されるストレーナを備えた吸排気弁に関する。
【背景技術】
【０００２】
近年マンション等中高層集合住宅の建物での給水システムでも、受水槽を設けずに、ブースターポンプを使用して増圧して直接給水する増圧直結給水が行われている。このシステムでは、下から上層階へ伸びる立管から各階へ分岐管で分岐し、立管の上端部には例えば特開２００５−５４９２７に示されるような吸排気弁を取付ける。
【０００３】
この吸排気弁は、水の中に含まれる空気が立管の上端に溜まるので、これを排気して水道使用不能となる事態を防止し、また、断水等で上流側が負圧状態になったときに立管内に空気を吸気して立管内が真空状態になるのを防止し、所謂真空破壊を行って分岐側からの逆流を防止するものである。
【０００４】
ところで給水管に使用される管材は輸送中或いは保管中の状態によっては中にゴミが入り込むことがある。また、配管の施工時には管に対してねじ切りが行われ、その際発生した切粉が管内に入り込むこともあり、さらにはそのねじ切りの際に使用される切削油も管内に入ってしまう。これらごみ、油、切粉は、吸排気弁の取付け前に行う洗管により排出するようにするが、これで完全に排出できずに配管内に残ってしまう場合も多い。この状態で立管頂部に吸排気弁を取付け、充水を行うと、残っていたゴミなどが吸排気弁内に入り込み、弁座に噛み込んで止水不良の原因となり、継続的に弁座からの漏れが生じてしまう。
【０００５】
【特許文献１】特開２００５−５４９２７号公報
【発明の開示】
【発明が解決しようとする課題】
【０００６】
ところで、このゴミ、切粉、油など、弁座に噛み込んで止水の妨げとなる異物を捕捉する手段としてストレーナを吸排気弁の上流側に設置することが考えられる。しかし、現在一般的に使用されているストレーナはゴミを捕捉するという目的を達成するためにその網目が小さくなっている。勿論これを大きくしてしまえばゴミの捕捉をすることができなくなってしまう。
【０００７】
このように小さい網目のストレーナをそのまま吸排気弁の直下に取付けた場合、排気ができなくなってしまう。すなわち、立管に充水した状態では水はストレーナを越えて吸排気弁内にまで達しており、ストレーナは水中に没している。このような状態でストレーナの下方から気泡が上昇してきても気泡はストレーナの小さな網目を塞いでいる水を押しのけて通過することができず、吸排気弁に達することができずに結果的に排気ができないこととなってしまう。
【０００８】
また、吸排気弁のなかには使用個所によっては少量の吸気で機能上問題ない場合もあるが、高層住宅の立管などに使用する、例えば上記特開２００５−５４９２７に開示されているようなタイプのものでは急速多量吸気機能が要求される。しかしこのように吸排気弁自体に急速多量吸気機能を備えていても、上記のような網目の小さいストレーナをそのまま使用したのでは吸気の際の損失、すなわち吸気の妨げとなり、急速多量吸気機能を発揮できない。
【０００９】
本願発明は上記問題点に鑑みなされたものであり、吸排気弁の排気機能を損ねることのないストレーナを備えた吸排気弁を提供することをその課題とする。また本願発明は上記課題に加え、吸排気弁自体が急速多量吸気機能を備えている場合には、その急速多量吸気を妨げない機能をも有するストレーナを備えた吸排気弁を提供することをも課題とする。
【課題を解決するための手段】
【００１０】
上記課題を解決するために本願発明は、水道の配管或いは給湯管などに取付けられる吸排気弁において、該吸排気弁を吸気弁と排気弁とを備えた吸排気弁本体と、該吸排気弁本体の上流側に配置されたストレーナとで構成し、そのストレーナは、ケーシングと、該ケーシング内の流路に配置されるストレーナ体とを備え、そのストレーナ体は、錐体の形状をして少なくともその錐面の部分が網状に形成されたフィルターを備え、このフィルターはその錐体の頂部側は閉じられ、底部側は開口している、ストレーナ付き吸排気弁を提供するものである。これにより水の中の空気は上側の狭い空気溜まりに集まり、ある量溜まるとそれに作用する浮力によってフィルターの網目を通過でき、排気が確実に行なわれる。
ある実施の形態では、そのフィルターの頂部は網目状に形成され、ストレーナ体は、フィルターの錐体の頂部が下流側に位置するように配置されている。これにより空気はフィルター錐面の内部頂部の狭い空気溜まりに集められ、ある量溜まるとそれに作用する浮力によってフィルターの網目を通過できる。
さらに他の実施の形態では、そのストレーナ体は、流路の途中にその流路の周方向に沿って設けられた座に当接する位置と、該座から離れて座を開く位置との間で移動可能である。これにより、急速多量吸気も可能となる。
さらに他の実施の形態では、ストレーナ体はフィルターが取付けられる支持体を備え、その支持体は、フィルターの底部の下側に位置する短い筒部を備え、該筒部には窓孔が明けられている。これにより、フィルターが仮にゴミなどで目詰まりしてもこの窓孔を介して空気は弁本体内へ移動し、排気ができる。
ことを特徴とする、ストレーナ付き吸排気弁。
他の実施の形態では、フィルタの頂部は密閉され、ストレーナ体は、フィルターの錐体の頂部が上流側に位置するように配置されている。これにより空気はフィルターの錐面の外側のケーシングとの間の空気溜まりに集められ、この空気溜まりは上側が狭くなっており、空気がある量たまると浮力によってフィルターを通過できる。
他の実施の形態では、そのフィルターの頂部は開閉可能に密閉されている。開くことにおり急速多量吸気が可能となる。
ある実施の形態では、フィルター頂部には、上流側から下流側への流れは阻止し、反対向きの流れは許容する逆止弁が設けられている。逆止弁が開くことにより吸気が行なえる。
【発明の効果】
【００１１】
本発明においては上記のような構成を採用したので、単に上昇したままではフィルターを通過できない空気を狭い空気溜まりに集め、それに作用する浮力を利用することにより空気がフィルターを通過でき、確実に排気が行なえる。
また、ストレーナ体を移動可能にしたり、或いは頂部を開閉可能にしたので、上流側に負圧が発生時には急速多量吸気が出来る。
【発明を実施するための最良の形態】
【００１２】
以下、図面を参照して本発明の実施の形態について説明する。図１は本発明の第１の実施の形態に係るストレーナ付き吸排気弁１を示す一部断面とした側立面図で、下側に示された止水栓２を介して水道配管の立管３の上部に取付けられている。止水栓２は後述するストレーナのメンテナンスなどをする際に止水するために使用される。
【００１３】
図２は図１の吸排気弁１の拡大断面図である。吸排気弁１は、基本的構造としては従来と同じで良い吸排気弁本体４（以下「弁本体」と略称）と、この弁本体４に上流側において連結されたストレーナ２１とで構成されている。この図は吸排気の行われていない、通常の使用状態を示しており、図示しない立管から止水栓を通って水がストレーナ２１を通って弁本体４内に入り、水位Ｌに達している。水位Ｌの上側には空気が溜まっている。ここに示す弁本体４は前記の特開２００５−５４９２７号などに開示されたものとほぼ同様の構造を備えるもので既に公知であるので、その構造についての説明は簡単にする。
【００１４】
符号５はケーシングであり、下側の本体６とその上部に被さるカバー７とを備えている。
符号８はボンネットで、ケーシング５内を上下二つの室９、１０に仕切っている。上室９はその接続口９ａにおいて図示しないドレイン管に接続される。このボンネット８に排気弁１１と吸気弁１６が設けられる。すなわち排気弁１１は、ボンネット８に形成された縦方向の貫通孔に挿入固定された筒状のパッキンホルダ１２とそれに挿入固定されるパッキン押え１３とを備え、両者で筒状の排気弁パッキン１４を図示の様に固定している。パッキン１４の下端部が弁座として機能する。
【００１５】
符号１５はフロート弁体であり、比重の小さい樹脂で作られており、下室１０内で水に浮かんで一方ではボンネット８の支持部８ａに受止められるとともに、他方ではパッキン１４の下端に当たり、その排気孔１４ａを閉じている。後述のようにフロート弁１５が傾くとパッキン１４の排気孔１４ａを開き、排気する。下室１０の内周には円周方向所定の間隔でフロート弁体１５の上下動の案内をする複数の縦リブ１０ａが、底部には落下したフロート弁１５を底から浮いた状態で受止める複数の径方向リブ１０ｂが形成されている。また、下室１０の底部に開口１０ｃが設けられ、連結部６ａに通じている。
【００１６】
吸気弁１６は、キノコ型の吸気弁体１７を備え、吸気弁体１７はバネ１８により上方へ付勢されてボンネット８に形成された開口部８ｂ下面側に取付けられたＯリング１９に押付けられ、開口部８ｂを閉じている。そして下室１０側に負圧が発生するとばね１８に抗して弁体１７が下がって開口部８ｂを開き吸気する。上記の排気弁１１、吸気弁１６の構成は公知であるのでこれ以上の詳細な説明は省略する。また、排気弁、吸気弁の構成は上記に限定されるものではない。
【００１７】
符号２１は弁本体４の上流側において連結されたストレーナであり、ケーシング２２を備えている。ケーシング２２は上端部において前述の弁本体６のケーシング本体６下部に形成された連結部６ａにネジ結合される筒状の上側筒部２３と、外側に広がる肩部２５を介して上側筒部２３に繋がる径の大きい下側筒部２４とを備えている。肩部２５の内側の面は図に示されるように後述するストレーナ体３１が図示の位置にあるときにそれを受け止める座或いは上側受け面２５ａとなる。そして下側筒部２４には、袋ナット２６によって筒状の連結管２７が連結されている。この連結管２７は上端部にフランジ２８を備え、その孔２９の径は下側筒部２４の内径より小さく、フランジ２８の上面は後述するストレーナ体３１が図示の状態から下方へ移動したときの下側受け面２８ａとなる。
【００１８】
ここで図３を参照してストレーナ体３１について説明する。図3の（イ）はストレーナ体３１の平面図、（ロ）は縦断面図、（ハ）は下面図である。ストレーナ体３１はフィルター３２とそれが取付けられる支持体３３とで構成される。フィルター３２は前述のとおり、水の中に混じり込んだゴミ、切粉或いは油などを捕捉できる程度の大きさの網目を備えているが、その形状は、図示の通り内部が空になった円錐形になっており、その下端側の底部３２ａ側は開口しているが、上側の頂部３２ｂは閉じており、間は傾斜した錐面３２ｃとなっている。なお、フィルター３１の形状は円錐形に限定されるものではなく、四角錐などでもよく、また、完全な錐体でなくても、その底部３２ａから頂部３２ｂへ向かう面が上に向かってすぼまるように傾斜した形状になっておればよい。これらを錐体と総称する。また、上部３２ｂ側は尖っておらずに縦方向短い範囲で截たれて截頭錐体の形になっていてもよい。但し、その頂部３２ｂの横断面積は、後述するようにその部分で空気に作用する浮力が単位面積あたりで十分大きくなる程度に小さくなければならない。これら截頭錐体をも含めて錐体と総称する。なお、上で「頂部３２ｂは閉じており」と述べたが、これは必ずしも密閉されていることを意味するものではなく、底部３２ａのように何等の部材も存在せず、完全に開口している場合を除く趣旨である。本実施の形態のように網目状になっている場合も「閉じている」に含まれる。また、本実施の形態では頂部３２ｂはその網目が部分的に支持体３３のリブ３８或いはその結合部３８ａにより閉じられるが、このような場合も含めて「頂部は網目状になっている」とする。すなわち、後述するようにある条件に達したときに空気が通過できる網目が、錐体の上側端部付近のある範囲で構成される「頂部」に部分的にでも形成されていればよい。
【００１９】
支持体３３は比重の小さい樹脂で作られており、ストレーナ体３１全体が水に浮くようになっている。支持体３３は、上側円環部３４と、上側円環部３４より径の大きい下側円環部３６と、それらを繋ぐ径方向に広がるフランジ部３７とを備えている。そして上側円環部３４には円周方向に隔てて複数個の窓孔３５が形成されている。上側円環部３４の上側端部からは、円周方向９０度間隔で設けられた４本のリブ３８が上方へ伸び、それらの上端は結合部３８ａで一体になっている。前述のフィルター３２が図示の通りこのリブ３８の内側へ張付けられた状態で取付けられている。符号３９は下側円環部３６から外方且つ下方へ伸びて形成された脚部で、円周方向９０度間隔で４つ形成されている。フランジ部３７の外形は下側円環部３６の内径より小さい。また、脚部３９の外側面が下側円環部３６の内周に近接する寸法となっており、後述するストレーナ体３１の上下動をガイドするようになっている。
【００２０】
図３に加えて再び図２をも参照すると、ストレーナ体３１は水に没しているが、比重が水より小さいため浮力の作用で上方へ付勢され、上側円環部３４の上面外周近傍においてケーシング２２の肩部２５の下面を座としてこれに当接し、また脚部３９の上端面も肩部２５下面に当接して、図２の位置に保持されている。後述する吸気の際にはストレーナ体３１は下方へ移動するが、その際前述したように脚部３９においてケーシング２２の下側筒部２４の内周面により案内される。
【００２１】
次に図４を参照して水の中の空気の移動及び排気動作を説明すると、水の中の空気は上方へ移動し、ストレーナ体３１の中へ入り込む。この際、上側円環部３４には窓孔３５が形成されているが、空気は真直ぐ上方へ移動するので窓穴３５を通っては流れず、フィルター３２内へ入る。水の流れによって運ばれるゴミなども同様にフィルター３２内に入り、フィルター３２の錐面３２ｃに当たって捕捉される。ところで空気は上方へ移動してフィルター３２の錐面３２ｃに当たっても、前述した通りそのままその位置でフィルター３２の網目を通過することはできず、フィルター３２の錐面３２ｃの内面に沿って上へ移動し、頂部３２ｂに溜まる。頂部３２ｂに溜まった空気には浮力が作用している。溜まった空気の量が少ないうちは網目を通過できないが、空気の量が多くなるとそれに作用する浮力も大きくなる。そして頂部３２ｂの面積は小さくなっているので、次第に空気側からフィルター３２の頂部３２ｂに作用する単位面積当たりの力が大きくなり、それがある値に達すると、水が網目を閉じようとする力に打ち勝ち、その瞬間に空気が纏まって水が押しのけて網目を通って上へ流れ出る。
【００２２】
フィルター３２を通過した空気は弁本体４のケーシング５の下室１０内へ流れて溜まる。それに連れて水位Ｌが下がる。このようにある量の空気がフィルター３２の頂部３２ｂ内に溜まると纏まってフィルター３２を通過し、下室１０内へ流れることを繰返し、下室１０内に次第に空気が溜まり、水位Ｌが下がる。水位Lがあるところまで下がるとフロート弁体１５に作用する浮力が下がって、図示され、又、公知のようにフロート弁体１５が排気パッキン１４を支点として傾き、排気孔１４ａが開き、空気が接続口９ａからドレイン管を経て排気される。排気されると水位Ｌが上がり、再びフロート弁１５が排気孔１４ａを閉じる。
【００２３】
なお、ゴミなどがフィルター３２に捕捉され、フィルター３２の網目が塞がれ、それが為に上記したような網目を通っての空気の脱出が出来なくなった場合、フィルター３２内に空気が溜まるが、過剰になった空気は窓孔３５を通って下室１０内へ流れるので、排気の動作は支障なく行われる。しかし、そのようにフィルター３２がゴミなどで目詰まりしてしまう前に定期点検などによりフィルター３２の清掃或いは交換が行われることとなろう。ストレーナ体３１の清掃、交換は、袋ナット２６を緩めて吸排気弁１を取外して行なうことができる。
【００２４】
次に図５を参照して吸気の動作について説明する。上流側に負圧が生じると立管内及び吸排気弁１内の水が上流側へ流れ、負圧が生じる。するとバネ１８に抗して吸気弁体１７が下に下がり、開口部８ａを開き、吸気を行う。この時、フィルター３２は水に没していないので、その網目を通って空気が下側へ流れることはできる。しかし、前述のようにフィルタ−３２はゴミなどを捕捉するためのものであるので、その網目が小さく、水中に没していなくても空気の流れに対して抵抗となる。吸気すべき量が少ない場合は差し支えないが、前述したように吸排気弁によっては急速多量吸気機能が要求されるものがある。その場合、上に説明したストレーナ体３１が図２或いは３に示される位置に固定されていると、急速多量吸気に支障が生じる可能性がある。本実施の形態では次の構成を採用してその問題を解決している。
【００２５】
すなわち前述したようにストレーナ体３１の支持体３３は比重の小さい樹脂で作られており、立管内が充水されている場合には浮力によって上方へ付勢され、上側円環部３４の上端がケーシング２２の肩部２５の内面に当たって位置決めされている。したがって、負圧発生で水が上流側へ流れてしまうと浮力の作用は無くなり、その下側に発生した負圧の作用、さらには流れ込んで来る空気の作用により、即時に図５に示す位置へ移動し、連結管２７のフランジ部２８の上面２８ａに客部９が当接して支持され、図示の位置に止まる。したがって上側筒部２３の下端開口は完全に開放され、流れ込んだ空気は支持体３３の客部３９の間を通って流れることができるので、急速多量吸気を行うことができる。なお、負圧により克服されるような弱いばねをストレーナ体３１に作用させ、上方へ付勢するようにしておいても良い。
【００２６】
図６は第２の実施の形態に係る吸排気弁５１を示す図で、第１の実施の形態での図１に対応する図である。この実施の形態での特徴は、第１の実施の形態ではストレーナ２１が立管３と吸排気弁弁体４と同一軸上に配置されていたのに対し、ストレーナ５２が横方向へオフセットして配置されている点である。この場合、吸排気弁本体４、或いはストレーナ体３１は第１の実施の形態でのそれと同じものを使用できる。この実施の形態での利点は、ストレーナ体３１の取外しが、ストレーナ５２のケーシング５３の上側を閉じるキャップ５４を外すだけでおこなえ、第１の実施の形態のように、吸排気弁全体を取外す必要がない点である。
【００２７】
図7は第3の実施の形態に係るストレーナ付き吸排気弁５６を示す図で、やはり第１の実施の形態での図１に対応する図である。この実施の形態での特徴は、所謂Ｙ型ストレーナといわれるもので、図示の通りストレーナ部５７はそのケーシング５８の軸線が立管３、止水栓２、吸排気弁本体４等の軸線方向に対してある角度で傾いた状態で配置されている。この実施の形態で使用するストレーナ体３１は第1の実施の形態で使用したものと同じである。キャップ５９を外すことによりストレーナ体３１の取外しを行なえることが出来るのは第2の実施の形態と同様である。なおストレーナ体３１は、例えばその軸線がケーシング５８の軸線に対して、ケーシング５８が立管3などに対して傾いている角度だけ逆方向に傾き、立管3などの軸線と平行になるようにケーシング５８に取付けても良い。これにより空気がフィルタの頂部により集まりやすくなる。或いはストレーナ体のフィルタ自体の錐面の形状を、その頂点が底部の中心から偏移しているようにしても同様にすることが出来る。
【００２８】
図８及び９は第４の実施の形態に係るストレーナ付き吸排気弁６１を示す図で、図８は通常使用時の縦断面図、図９は吸気時の要部の断面図である。先ず図８を参照して構造を説明する。この吸排気弁６１も弁本体６２とストレーナ６５とで構成されている。そして弁本体６２は第１の実施の形態でのそれと、ケーシング本体６３の下方に形成された連結部６３ａの形状が異なるだけであるので、それ以外に部分についての説明は省略する。弁本体６２に設けられている排気弁、吸気弁はいずれも第１の実施の形態でのそれらと同じで良い。
【００２９】
ストレーナ６５はケーシング６６を備え、ケーシング６６はフランジ部６９を挟んで内径が同じである上側筒部６７と下側筒部６８とを備え、下側筒部６８の下方には図示しない立管に接続される連結部７０が設けられている。ケーシング６６は図示の通り上側筒部６７が前述の弁本体６２のケーシング本体６３下部の連結部６３ａにネジ結合され、フランジ６９が連結部６３ａの下端に当接した状態で取り付けられている。
【００３０】
ケーシング６６の中にはストレーナ体７１が配置されており、そのストレーナ体７１は網目状のフィルター７２と支持体７３とを備えている。フィルター７２自体は第１の実施の形態でのフィルター３２と異なり、上下両側が開口した截頭円錐体の形状のなっており、その截頭円錐体を上下逆さまにした状態で配置されている。なお、フィルター７２の網目の図示は省略してある。
【００３１】
支持体７３は、下側に設けられた内側の円環部７４と外側の円環部７５と、これら両者を繋ぐ、円周方向９０度間隔で設けられた径方向に延びる横リブ７６と、上方に位置し、下側の外側円環部７５より径の大きい上側円環部７７と、上側円環部７７と下側の外側円環部７５とを繋ぐ、円周方向９０度間隔で設けられた上方へ向かって径方向外側へ傾いて伸びる縦リブ７８とを備えている。そして上側円環部７７の外周側の部分が図示の通り弁本体６２のケーシング本体６３の底部とストレーナ６５のケーシング６６の上側筒部６７の上端との間に挟まれて固定されている。そして前述のフィルター７２が縦リブ７８の内側に配置され、その上下端部が上側円環部７７と下側の外側円環部７５とに当接した状態で支持体７３に取り付けられている。
【００３２】
このストレーナ体７１はさらに逆止弁８１を備えている。逆止弁８１は弁体８２を備え、弁体８２はその軸部８２ａが支持体７３の下側の内側円環部７４に嵌り、その下端部に円板状の頭部が設けられ、軸部８２ａの上端部と内側円環部７４との間に軸部８２ａを囲んで配設された圧縮バネ８３の作用により上方へ付勢され、外側円環部７３により画成される穴を閉じている。
【００３３】
図８の通常の使用状態では水の中の空気は図中矢印Ａのように流れる。すなわちフィルター７２の下端は弁体８２の頭部８２ｂにより閉じられているので、空気はそこからはフィルター７２の中へは入らず、フィルター７２の上側へ向かって広がっている傾斜面或いは錐面とケーシング６６の内周面との間の空気溜まり８４に流れ込む。図から明かな通り、この空気溜まり８４は上側に向かうに連れて横断面積が小さくなっている。空気溜まり８４に流れ込んだ空気は第１の実施の形態で説明したように直ちにはフィルター７２の網目を通過できないが、有る程度の量がたまると作用する浮力が大きくなり、網目を塞ぐ水を押しのけて纏まってフィルター７２を通過する。以下、排気の動作は第１の実施の形態と同じである。
【００３４】
吸気の場合には、図９に示されるように発生した負圧によって逆止弁８１の弁体８２が下方へ下がり、支持体７３の下側の外側円環部７５の穴を開くこととなる。これにより急速多量吸気が可能となる。
【００３５】
この実施の形態では、第１の実施の形態での窓孔３５に相当するものを設けてないが。フィルター７２の傾斜面の角度を急勾配としてゴミなどをフィルター７２の上方で捕捉するようにし、その場合でも空気の通過はフィルター７２の下側の部分で行なわれるようにすることができる。フィルター７２の清掃、交換は弁本体６２を外すだけで行なえる。また、上記の実施の形態では急速多量排気をも実現するためにフィルタ７２の下端に逆止弁８１を設けたが、その必要のない場合にはその下端を網目状に閉じてしまっても良い。さらには下端を網目の無い状態で密閉してしまっても良い。いずれにしても下端側を丸めた形状にするなどして、空気が錐体の錐面に沿って上方へ移動するようにすれば良い。
【００３６】
上記の各実施の形態では、吸排気弁本体とストレーナ体とを別個のケーシングを用いて構成しそれらを結合する構造としたが、1個のケーシングを用いて吸排気弁本体とストレーナ体とを一体的に構成することは勿論可能であり、そのような構成を採用して何等支障はない。
【図面の簡単な説明】
【００３７】
【図１】本発明の第１の実施の形態に係るストレーナ付き吸排気弁を立管に取付けた状態を示す一部断面とした側立面図である。
【図２】ストレーナ付き吸排気弁の側断面図で、通常の使用状態を示す。
【図３】ストレーナ体の図で、（イ）は平面図、（ロ）は縦断面図、（ハ）は底面図である。
【図４】排気状態を示す側断面図である。
【図５】吸気状態を示す側断面図である。
【図６】ストレーナをオフセットした第２の実施の形態を示す側立面図である。
【図７】ストレーナをＹ型にした第３の実施の形態を示す側立面図である。
【図８】第４の実施の形態に係るストレーナ付き吸排気弁を示し、通常使用時を示す側断面図である。
【図９】吸気時を示す要部の側断面図である。
【符号の説明】
【００３８】
１：ストレーナ付き吸排気弁  ２：止水栓    ３：立管    ４：吸排気弁本体    １１：排気弁    １６：吸気弁    ２１：ストレーナ    ２２：ケーシング    ３１：ストレーナ体    ３２：フィルター  ３２ａ：底部    ３２ｂ：頂部    ３２ｃ：錐面    ３３：支持体    ３４：上側円環部    ３５：窓穴    ３９：脚部
【図１】
2006316809.tif 000003
【図２】
2006316809.tif 000004
【図３】
2006316809.tif 000005
【図４】
2006316809.tif 000006
【図５】
2006316809.tif 000007
【図６】
2006316809.tif 000008
【図７】
2006316809.tif 000009
【図８】
2006316809.tif 000010
【図９】
2006316809.tif 000011